(57)【要約】【課題】見栄え良く効率的に分類が可能なノート用紙の提供。【解決手段】用紙本体１０と、用紙本体１０の直交する２辺の一方である第１辺としての長辺１１の端縁部に沿って形成された複数の綴じ穴を有する第１綴じ穴列２０、および、２辺のもう一方である第２辺としての短辺１２の端縁部に沿って形成された複数の綴じ穴を有する第２綴じ穴列３０と、用紙本体１０において、第１綴じ穴列２０の用紙内側に長辺１１と略平行に設けられた切り取り線４０と、を備えるノート用紙とした。【選択図】図１
2019209615.tif 000002
【特許請求の範囲】
【請求項１】
用紙本体と、
前記用紙本体の直交する２辺の一方である第１辺の端縁部に沿って形成された複数の綴じ穴を有する第１綴じ穴列、および、前記２辺のもう一方である第２辺の端縁部に沿って形成された複数の綴じ穴を有する第２綴じ穴列と、
前記用紙本体において、前記第１綴じ穴列の用紙内側に前記第１辺と略平行に設けられた切り取り線と、
を備えるノート用紙。
【請求項２】
請求項１に記載のノート用紙において、
前記用紙本体の前記切り取り線の、前記用紙内側に隣接して見出し領域を有する
ノート用紙。
【請求項３】
請求項２に記載のノート用紙において、
前記見出し領域は、分類の記載用の分類記入部と、日付け記載用の日付記入部と、見出し記載用の見出し記入部と、ナンバリング用のナンバリング部と、の少なくとも１つを備えるノート用紙。
【請求項４】
請求項２または請求項３に記載のノート用紙において、
前記用紙本体の前記見出し領域から、さらに前記用紙内側に複数の罫線を有する罫線領域が設けられているノート用紙。
【請求項５】
請求項４に記載のノート用紙において、
前記罫線領域には、前記第１辺に略平行な罫線と前記第２辺に略平行な罫線とから成る格子罫線を有するノート用紙。
【請求項６】
請求項１〜請求項５のいずれか１項に記載のノート用紙において、
前記用紙本体は、長方形を成し、
前記第１辺が長辺であり、前記第２辺が短辺であるノート用紙。
【請求項７】
請求項１〜請求項６のいずれか１項に記載のノート用紙の前記第１綴じ穴列を綴じ具により綴じ合わせたノート。
【請求項８】
請求項２〜請求項６のいずれか１項に記載のノート用紙と、
前記ノート用紙を綴じる綴じ具を備えた分類用バインダと、を備え、
前記綴じ具は、前記第２綴じ穴列を綴じることが可能であり、かつ、前記第２辺の長さよりも長い寸法を有するとともに、前記綴じリングが、前記綴じ穴の数よりも多く設けられているルーズリーフノート。
【請求項９】
請求項８に記載のルーズリーフノートを用いたノート用紙の分類方法であって、
前記ノート用紙の前記切り取り線で前記用紙本体から前記第１綴じ穴列を切り離すステップと、
前記分類用バインダの前記綴じ具に、前記第１綴じ穴列を切り離した状態の前記ノート用紙を、前記第２綴じ穴列を用いて綴じるステップであって、相対的に後のタイミングで綴じる前記ノート用紙は、前のタイミングで綴じた前記ノート用紙の前記見出し領域が見える位置に綴じるステップと、
を備えるノート用紙の分類方法。
【発明の詳細な説明】
【技術分野】
【０００１】
本開示は、ノート用紙、ノート、ルーズリーフノートおよびノート用紙の分類方法に関する。
【背景技術】
【０００２】
従来、ルーズリーフバインダの綴じ具を挿通するための綴じ穴が端縁部に所定間隔で複数形成されたノート用紙が知られている（例えば、特許文献１参照）。
また、綴じ穴が、ノート用紙の２辺に端縁に沿って形成されたノート用紙も知られている（例えば、特許文献２参照）。
特許文献２に記載されたノート用紙は、正方形のノート用紙の一端縁およびこの一端縁に直交する一端縁に沿って、複数の綴じ穴を所定間隔で形成された第１の綴じ穴列と第２の綴じ穴列とを備える。また、ノート用紙の直交する２辺のいずれかの方向に沿って罫線が設けられている。
【０００３】
したがって、ノート用紙の、第１、第２の綴じ穴列のいずれかに、ルーズリーフノートの綴じ具を挿通させて綴じることにより、ノート用紙を、縦書き、横書きのいずれにも選択的に使用することができる。
【先行技術文献】
【特許文献】
【０００４】
【特許文献１】特開２００７−５２９３４２号公報
【特許文献２】特開平７−２７６８５１号公報
【発明の概要】
【発明が解決しようとする課題】
【０００５】
ところで、上記のノート用紙が綴じ具で閉じられたノートを使用する場合に、通常、手前側の頁から時系列で使用する。その後、記載内容ごとにノート用紙を分類しようとした場合、特許文献１に記載のノート用紙では、綴じ具が開閉可能なものであればよいが、開閉できない綴じ具で綴じられている場合、用紙を引っ張って綴じ穴列の部分を破り取ることになる。そして、このノート用紙を記載内容ごとに分類して綴じる場合には、新たに穴開けパンチなどを用いて穴を開け、この穴を用いて綴じることになり、手間を要す。
【０００６】
また、特許文献２に記載のノート用紙では、第１綴じ穴列で綴じられている場合、ノート用紙を第１綴じ穴列の部分で破り取っても、第２綴じ穴列を用いて綴じ直すことができる。
しかしながら、この場合、ノート用紙に第１綴じ穴列の綴じ穴が破れた状態でノート用紙に残るため、分類した書類の見栄えが悪い。
【０００７】
本発明は、上記問題に着目して成されたもので、見栄え良く効率的に分類が可能なノート用紙、ならびにこのノート用紙を用いたノート、ルーズリーフノートおよびノート用紙の分類方法の提供を目的とする。
【課題を解決するための手段】
【０００８】
上述の目的を達成するため、本開示のノート用紙は、
用紙本体と、
前記用紙本体の直交する２辺の一方である第１辺の端縁部に沿って形成された複数の綴じ穴を有する第１綴じ穴列、および、前記２辺のもう一方である第２辺の端縁部に沿って形成された複数の綴じ穴を有する第２綴じ穴列と、
前記用紙本体において、前記第１綴じ穴列の用紙内側に前記第１辺と略平行に設けられた切り取り線と、
を備えるノート用紙とした。
【発明の効果】
【０００９】
本開示のノート用紙は、第１綴じ穴列で綴じ具により閉じられたノート用紙を、切り取り線で切り取り、第２綴じ穴列を用いて、綴じ直して分類することができる。
したがって、新たに綴じるための穴を開ける手間が不要であり、かつ、第２綴じ穴列を用いて綴じた場合に、第１綴じ穴列の破れた部分が残ることが無く見栄えに優れる。よって、見栄え良く効率的に分類が可能である。
【図面の簡単な説明】
【００１０】
【図１】実施の形態１のノート用紙Ａを示す平面図である。
【図２】実施の形態１のノート用紙Ａを綴じたノート１００を示す平面図である。
【図３Ａ】実施の形態１のノート用紙Ａをノート１００から切り取って分類用バインダ２００により綴じたルーズリーフノートＬＬＮの第１の分類の態様を示す平面図であり、分類用バインダ２００を開いた状態を示す。
【図３Ｂ】実施の形態１のノート用紙Ａをノート１００から切り取って分類用バインダ２００により綴じたルーズリーフノートＬＬＮの第２の分類の態様を示す平面図であり、分類用バインダ２００を開いた状態を示す。
【図３Ｃ】前記分類用バインダ２００を閉じた状態のルーズリーフノートＬＬＮを示す平面図である。
【図４】前記分類用バインダ２００に用いた第１分類用シート２４０を示す平面図である。
【図５】前記分類用バインダ２００に用いた第２分類用シート２５０を示す平面図である。
【図６】実施の形態２のノート用紙Ｂを示す平面図である。
【図７】実施の形態３のノート用紙Ｃを示す平面図である。
【発明を実施するための形態】
【００１１】
以下、本発明の実施形態を図面に基づいて説明する。
（実施の形態１）
まず、実施の形態１のノート用紙Ａを示す平面図である図１に基づいて、実施の形態１のノート用紙Ａについて説明する。
【００１２】
このノート用紙Ａは、用紙本体１０と第１綴じ穴列２０と第２綴じ穴列３０と切り取り線４０とを備える。
【００１３】
用紙本体１０は、直交する２辺の長さが異なる長方形の用紙であり、長辺（第１辺）１１と短辺（第２辺）１２とを備える。ここで、実施の形態では、ノート用紙Ａのサイズとして、いわゆる「Ａ５サイズ」のものを例示しており、長辺１１が210ｍｍ、短辺１２が148ｍｍの長さとするが、これらの寸法に限定されるものではない。
【００１４】
第１綴じ穴列２０は、複数の綴じ穴２１を、２つの長辺１１，１１の一方の端縁に沿って一定間隔で一列に並べて形成されている。この綴じ穴２１は、図２に示すノート１００の綴じ具１１０の綴じリング１１１などを挿通するもので、綴じリング１１１の間隔と同一の間隔で形成されている。なお、実施の形態では、第１綴じ穴列２０は、２４個の綴じ穴２１を備えるものを示しているが、その数は、これに限定されるものではない。
【００１５】
図１に戻り、第２綴じ穴列３０は、複数の綴じ穴３１を、２つの短辺１２，１２の一方の端縁に沿って一定間隔で一列に並べて形成されている。なお、綴じ穴３１の間隔は、第１綴じ穴列２０の綴じ穴２１と同一の間隔で形成されている。
【００１６】
さらに、用紙本体１０において第１綴じ穴列２０の用紙内側、すなわち、第１綴じ穴列２０に対して隣設する長辺１１とは反対側には、切り取り線４０が長辺１１と平行に形成されている。本実施の形態１では、切り取り線４０としてミシン目が形成されており、ミシン目の切り取り線４０に沿って、第１綴じ穴列２０が形成された用紙本体１０の端部を用紙本体１０から切り取り可能に形成されている。
【００１７】
用紙本体１０において、切り取り線４０よりも用紙内側には見出し領域５０が形成されている。さらに、この見出し領域５０に対して、第１綴じ穴列２０が形成されていない方の長辺１１の側には罫線領域６０が形成されている。
【００１８】
見出し領域５０は、図１において左右方向の幅は、切り取り線４０と長辺１１の端縁との間隔に略等しい寸法に形成されている。なお、この間隔は、後述する綴じ具１１０の綴じリング１１１の間隔と略同一の間隔とされている。
【００１９】
そして、見出し領域５０は、第２綴じ穴列３０に近い側から、分類記入部５１と、日付記入部５２と、見出し記入部５３と、ナンバリング部５４とが設けられている。
分類記入部５１は、使用者が任意の分類を記入する箇所であり、本実施の形態１では、外枠５１ａが設けられており、この外枠５１ａの内側に分類を記入する。
日付記入部５２は、点（・）により年、月、日を記入する部分が区画され、かつ、曜日を記入するための（  ）が設けられている。
見出し記入部５３は、使用者が任意の見出しを記入する領域であり、アンダーライン５３ａが設けられている。
ナンバリング部５４は、ノート用紙Ａが、同じ分類のノート用紙Ａの枚数や順番などのナンバリングおよび全体の枚数などを記入可能なもので、NOの表示と、スラッシュ記号を有する外枠５４ａを備える。
【００２０】
罫線領域６０は、使用者が文章、メモや図形などを記入可能な領域であり、外周を外枠６１で囲まれた、外枠６１の内側に格子罫線６２を有する。さらに、外枠６１の第１綴じ穴列２０に沿う枠線６１ａと格子罫線６２との間に、空白部６３が設定されている。
また、図２に示すように、ノート用紙Ａの裏面７０は、白紙となっている。なお、ノート用紙Ａは、格子罫線６２などが設けられている側を表面とする。
【００２１】
（ノート）
次に、図２に示すノート１００について説明する。
このノート１００は、複数のノート用紙Ａを綴じ込んだもので、具体的には、複数のノート用紙Ａを表紙１２０と裏表紙１３０とにより挟んだ状態で、これらを綴じ具１１０により綴じている。
また、ノート用紙Ａは、第２綴じ穴列３０を下にして（矢印ＵＰの方向を上方、矢印ＤＮを方向下方とする）、第１綴じ穴列２０が綴じ具１１０により綴じられている。
【００２２】
なお、綴じ具１１０は、針金などを用いて形成したもので、綴じリング１１１を開閉してノート用紙Ａと取り外すことが可能ないわゆるルーズリーフ形式としてもよいが、本実施の形態１では、綴じリング１１１は開閉できないものとする。
また、表紙１２０および裏表紙１３０は、厚紙、樹脂（例えば、ポリプロピレン）などにより形成され、かつ、図示は省略するが、ノート用紙Ａの第１綴じ穴列２０と同様の綴じ穴列が形成されている。
【００２３】
（分類用バインダ）
次に、実施の形態のノート用紙Ａを分類する際に用いる分類用バインダ２００について説明する。なお、この分類用バインダ２００にノート用紙Ａを綴じてルーズリーフノートＬＬＮを構成するものである。
図３Ａおよび図３Ｂは、ノート用紙Ａを綴じた分類用バインダ２００を開いた状態のルーズリーフノートＬＬＮを示す平面図、図３Ｃは分類用バインダ２００を閉じた状態のルーズリーフノートＬＬＮを示す平面図である。なお、以下、分類用バインダ２００について説明するにあたり、図において矢印ＵＰの方向を上方向、矢印ＤＮの方向を下方向、矢印ＵＰ、ＤＮに直交する紙面の左右方向を左右方向とする。さらに、紙面の手前の方向および奥方向であってノート用紙Ａが重なり合う方向を前後、あるいは、手前、奥と称する。
【００２４】
この分類用バインダ２００は、綴じ具２１０に表紙２２０と裏表紙２３０とが綴じられた周知のルーズリーフ用のバインダである。また、この分類用バインダ２００は、表紙２２０および裏表紙２３０として、その上下方向寸法が、ノート用紙Ａの短辺１２の長さよりも長いものを用いるとともに、その左右方向寸法が、ノート用紙Ａの長辺１１の長さよりも僅かに長いものを用いている。具体的には、表紙２２０および裏表紙２３０として、ノート用紙Ａの２倍の面積のＡ４サイズのルーズリーフを綴じるためのもの、すなわち、上下方向寸法および左右方向寸法がＡ４サイズ（２９７ｍｍ×２１０ｍｍ）よりも僅かに大きなものを用いている。なお、表紙２２０および裏表紙２３０は、厚紙、樹脂（例えば、ポリプロピレン）などにより形成することができる。
【００２５】
綴じ具２１０は、周知のように、開閉可能な綴じリング２１１を複数有し、かつ、これらの綴じリング２１１どうしの間隔は、第２綴じ穴列３０の綴じ穴３１の間隔と同一の間隔とされている。
【００２６】
さらに、分類用バインダ２００には、複数枚の第１分類用シート２４０および第２分類用シート２５０が綴じられている。
【００２７】
図４は、第１分類用シート２４０の単体を示す平面図である。この第１分類用シート２４０は、ポリエチレン、ポリプロピレン、ポリエステル、ナイロンなどのプラスチックや、塩化ビニル、或いは、厚紙などを用いて形成されたシートである。この第１分類用シート２４０は、着色してもよいし、透明としてもよい。
【００２８】
また、第１分類用シート２４０は、図４に示すように、本体２４１と綴じ穴列２４２と、見出し片２４３とを有する。
本体２４１は、矩形を成し、表紙２２０および裏表紙２３０よりも上下方向寸法が小さく、かつ、図３Ｃに示すように、表紙２２０および裏表紙２３０と重ねた際には表紙２２０および裏表紙２３０に隠れる寸法に形成されている。
図４に戻り、綴じ穴列２４２は、本体２４１の縦辺（図において上下方向に延在する辺）の一方に沿って形成され、その綴じ穴２４２ａどうしの間隔は、ノート用紙Ａの第２綴じ穴列３０の綴じ穴３１の間隔と同一の寸法に形成されている。なお、本体２４１の上下方向寸法が表紙２２０および裏表紙２３０よりも小さいことから、綴じ穴２４２ａの数は、綴じ具２１０の綴じリング２１１の数よりも４つ分少なくなっている。
【００２９】
見出し片２４３は、本体２４１の上端部から上方に突出されている。すなわち、図３Ｃに示すように、見出し片２４３は、表紙２２０および裏表紙２３０を重ねた際に、表紙２２０および裏表紙２３０に隠れることなく上方に突出するだけ本体２４１から突出されている。
また、第１分類用シート２４０は、図３Ａ、図３Ｂに示すように、見出し片２４３の位置が左右方向で異なる複数の種類のものが設定されており、見出し片２４３が相対的に右側に形成されたものを奥側に配置して綴じられている。
【００３０】
図５は、第２分類用シート２５０の単体を示す平面図である。なお、第２分類用シート２５０も、ポリエチレン、ポリプロピレン、ポリエステル、ナイロンなどのプラスチックや、塩化ビニル、或いは、厚紙などを用いて形成されている。また、着色してもよいし、透明としてもよい。
【００３１】
そして、第２分類用シート２５０は、本体２５１と綴じ穴列２５２と、見出し片２５３とを有する。
本体２５１は、第１分類用シート２４０よりも上下方向寸法が大きく、Ａ４サイズ相当の寸法に形成され、かつ、図３Ｃに示すように、表紙２２０および裏表紙２３０と重ねた際には表紙２２０および裏表紙２３０に隠れる寸法に形成されている。
綴じ穴列２５２は、本体２５１の縦辺（図において上下方向に延在する辺）の一方に沿って形成され、その綴じ穴２５２ａどうしの間隔は、ノート用紙Ａの第２綴じ穴列３０の綴じ穴３１の間隔と同一の寸法に形成されている。
【００３２】
見出し片２５３は、本体２５１の綴じ穴列２５２が形成されているのとは反対側の縦辺から左右方向外方に突出されている。そして、図３Ｃに示すように、見出し片２５３は、表紙２２０および裏表紙２３０を重ねた際に、表紙２２０および裏表紙２３０に隠れることなく側方に突出するだけ本体２５１から突出されている。
また、第２分類用シート２５０は、図３Ａに示すように、見出し片２５３の位置が上下方向で異なる複数の種類のものが設定されており、見出し片２５３が相対的に下側に形成されたものを奥側に配置して綴じられている。
【００３３】
（比較例の課題）
次に、実施の形態の作用を説明するのに先立ち、実施の形態が解決する課題を、比較例を用いて説明する。
特許文献１に記載のようないわゆるルーズリーフノートは、綴じ具に取り外し可能となっている。しかしながら、綴じ穴は、ノート用紙の一辺に沿って形成されており、綴じ具で綴じた場合は、全ての頁が重なり、開いた頁しか見ることができない。そのため、ノート用紙を、記載内容別に分類する場合、分類が異なるものどうしの間に見出し部を有した見出しシートを介在させたり、インデックスシールを貼ったりして、見出し部分をノート用紙の外方に突出させて分類を区分する。
【００３４】
この場合、細かに区分すると、ノート用紙の外周から、多数の見出しシートやインデックスシールなどが突出し、見分けが困難となる。また、多くの見出しシートやインデックスシールが必要になりコスト増を招く。
【００３５】
さらに、実開昭５９−１１４５９号公報に記載のもののように、ノート用紙の位置を上下方向で異ならせて綴じた場合、ノート用紙の大きさに対して非常に大きな分類用のバインダが必要になり、バインダの大型化を招く。
【００３６】
本実施の形態１は、見栄え良く効率的に分類が可能であり、また、分類の際に必要な見出しシートやインデックスシールなどを削減可能な低コストで効率の良い分類を可能とする。
【００３７】
（実施の形態１の作用）
次に、実施の形態の作用として、ノート１００に綴じられたノート用紙Ａの使用方法および分類用バインダ２００を用いたルーズリーフノートＬＬＮによるノート用紙Ａの綴じ方を説明する。
【００３８】
ノート１００は、前述のように、ノート用紙Ａを、第１綴じ穴列２０を用いて、綴じ具１１０により綴じている。このノート１００は、相対的に分類用バインダ２００よりも小型であるため、持ち運びが容易である。
ここで、会議、打合せなどの際に、ノート用紙Ａに書き込む際には、好ましくは、図２において、綴じ具１１０とは反対側に位置する長辺１１を下にして書き込む。
そして、このとき、必要に応じて、見出し領域５０に種々の記載事項を記入する。例えば、分類記入部５１には、後述の分類時に、分類の目安となる事項（例えば、「企画」「販売」「予算」「売上」など）を記入する。
【００３９】
また、日付記入部５２は、当日の年、月、日、曜日を記入する。
さらに、見出し記入部５３には、例えば、具体的な会議の内容などを記載する（例えば、「○○年春夏物新商品企画会議」など）。
そして、ナンバリング部５４には、このときに記入するノート用紙Ａの記入枚数などを記載順に記載する。
【００４０】
（分類用バインダを用いたノート用紙の分類）
次に、上述のように、会議などで記入したノート用紙Ａを分類する場合の分類方法を説明する。
例えば、会議や打ち合わせを終えて、会社、デスクなどに戻ってノート用紙Ａの分類を行う場合、ノート用紙Ａを切り取り線４０の位置でノート１００から切り取る。この場合、本実施の形態１では、切り取り線４０に沿って予めミシン目を形成しているため、切り取り作業が容易である。
【００４１】
次に、第１綴じ穴列２０を切り取ったノート用紙Ａを分類用バインダ２００に綴じる。
この場合、ノート用紙Ａは、第２綴じ穴列３０を用いて綴じ具２１０に綴じるが、その際、図３Ａに示すように、見出し領域５０を上にして綴じる。さらに、同一分類のノート用紙Ａどうしは、所望の基準に基づいて上下方向の位置を異ならせて綴じる。
【００４２】
例えば、図３Ａ，図３Ｂは、会議の開催の時系列に基づいて、同一テーマの会議の初回の会議で記入したノート用紙Ａ（１）を最も上方（矢印ＵＰの方向）に配置して綴じる。そして、２回目の同テーマの会議の際に記入したノート用紙Ａ（２）、３回目の会議の際に記入したノート用紙Ａ（３）と、新しいものを順次下方に配置して、古いものの手前に重ねて綴じる。
【００４３】
図３Ａは、会議の開催時期で前後に隣り合う奥側のノート用紙Ａ（２）と手前側のノート用紙Ａ（１）とで、綴じ込み位置を上下方向にずらすにあたり、綴じ具２１０の綴じリング２１１の１つ分だけずらした例を示している。
【００４４】
ここで、例えば、企画会議のメモを分類した場合、１回目の会議の内容を記載した１または複数のノート用紙Ａ（１）を、綴じ具２１０の上下方向で最も上方に配置して綴じる。この時、見出し領域５０の見出し記入部５３あるいはナンバリング部５４に、１回目の会議であることを記載することで、１回目の会議であることを認識できる。
【００４５】
次に、２回目の会議の内容を記載した１または複数のノート用紙Ａ（２）を綴じる際には、１回目の会議の内容を記載したノート用紙Ａ（１）に対し、綴じ具２１０の綴じリング２１１を、１つだけ下方にずらした位置で、その手前側に重ねて綴じる。この場合、図示のように、１回目の会議のノート用紙Ａ（１）の見出し領域５０は、２回目の会議の内容をメモしたノート用紙Ａ（２）に隠れることがなく、視認することができる。
【００４６】
さらに、３回目の会議の内容を記載したノート用紙Ａ（３）を綴じる場合には、２回目の会議内容を記載したノート用紙Ａ（２）に対し、下方に位置をずらしてその手前側に重ねて綴じる。よって、３回目の会議内容を記載したノート用紙Ａ（３）を手前側に重ねて綴じた状態でも、ノート用紙Ａ（１）およびノート用紙Ａ（２）の両方の見出し領域５０を視認することができる。
【００４７】
このように、前後の重ね方向で奥側のノート用紙Ａの見出し領域５０が手前側のノート用紙Ａに対して上方に突出し、これを視認することができる。
そして、見出し領域５０の分類記入部５１により、その分類基準（例えば、企画会議）を確認できる。また、日付記入部５２の記載内容を確認して、会議の開催日時を知ることができる。また、見出し記入部５３の記載内容を確認して、会議のテーマを知ることができる。また、ナンバリング部５４に記載された数字などを確認して、何回目の会議であるかを知ることができる。
このように、インデックスシールや見出しシートを用いることなく、分類の内容を確認することができる。
【００４８】
図３Ａに示すように、綴じ具２１０のリング２１１を１つずつずらした場合は、本実施の形態１では、上下方向に１９段に分けて綴じることが可能である。すなわち、本実施の形態１では、分類用バインダ２００の綴じ具２１０の綴じリング２１１の数が「３４」であるのに対し、ノート用紙Ａの第２綴じ穴列３０の綴じ穴の数が「１６」である。よって、両者の差の１８だけ上下方向にずらすことが可能であるから、上下方向に全部で１９段に分けて綴じることが可能である。
【００４９】
このように、ノート用紙Ａを、短辺１２に沿って設けられた第２綴じ穴列３０を用いて分類用バインダ２００に綴じることにより、例えば、第１綴じ穴列２０と用いて綴じた場合と比較して、多くの段数に分けて分類することが可能となる。
【００５０】
また、綴じる向きを変えるにあたり、第１綴じ穴列２０を切り取るため、第１綴じ穴列２０を残したまま見出し領域５０を確認可能に上下方向にずらして綴じた場合と比較して、見栄えに優れるとともに、多くの段数に分けて分類することが可能になる。
すなわち、第１綴じ穴列２０を破り切り取らずにそのまま残した場合、奥側に重ねるノート用紙Ａの見出し領域５０を認識できるようにするには、手前側に重ねるノート用紙Ａを、綴じリング２１１で２つ分以上下方にずらす必要がある。このようにした場合には、上下にずらして綴じることが可能な段数が大幅に減る。
【００５１】
また、ノート用紙Ａと綴じるにあたり、図３Ａでは、ノート用紙Ａを綴じリング２１１の１つ分だけずらしたが、図３Ｂに示すように、上下方向に綴じリング２１１の２つ分ずらして綴じることもできる。
図３Ｂは、新しく綴じるノート用紙Ａ（例えば、２回目の会議内容を記載したノート用紙Ａ（２）を、古いノート用紙Ａ（例えば、１回目の会議内容を記載したノート用紙Ａ（１））に対して、綴じリング２１１の２つ分だけ下方にずらして綴じた例を示している。この場合には、１回目のノート用紙Ａ（１）は、見出し領域５０に加え、空白部６３も視認することが可能となる。したがって、空白部６３に、必要な情報を記入することにより、視認可能な情報量を増やすことができる。
【００５２】
さらに、実施の形態１の分類用バインダ２００では、上述の綴じ方を用いた分類を、各分類用シート２４０，２５０毎に行うことができる。
例えば、上述の綴じ方の例として、企画会議の内容をメモしたノート用紙Ａを綴じる例として説明したが、このような場合、見出し片に企画会議と記載した第１分類用シート２４０または第２分類用シート２５０の手前側に重ねて綴じる。
【００５３】
よって、各分類用シート２４０，２５０の見出し片２４３，２５３に、それぞれ、異なる分類要素を示し、その分類に相当する内容のノート用紙Ａを、図３Ａ，図３Ｂに示したように、上下方向に位置をずらしながら綴じる。
なお、分類例として、上述した企画会議の他に、例えば、特定の会社との商談時の内容のメモを綴じる場合には、見出し片２４３，２５３に会社名あるいは商談など記載し、会社ごとに分類して綴じたり、商談に関するメモをまとめて綴じたりすることができる。
【００５４】
（実施の形態１の効果）
以下に、実施の形態１の効果を列挙する。
(1)実施の形態１のノート用紙Ａは、
用紙本体１０と、
用紙本体１０の直交する２辺の一方である第１辺としての長辺１１の端縁部に沿って形成された複数の綴じ穴を有する第１綴じ穴列２０、および、２辺のもう一方である第２辺としての短辺１２の端縁部に沿って形成された複数の綴じ穴を有する第２綴じ穴列３０と、
用紙本体１０において、第１綴じ穴列２０の用紙内側に長辺１１と略平行に設けられた切り取り線４０と、
を備える。
したがって、第１綴じ穴列２０で綴じ具（１１０）により閉じられたノート用紙Ａを、切り取り線４０で切り取り、第２綴じ穴列３０を用いて、綴じ直すことができる。
よって、新たに綴じるための穴を開ける手間が不要で効率的であり、かつ、第２綴じ穴列３０を用いて綴じた場合に、第１綴じ穴列２０の破れた部分が残ることが無く見栄えに優れる。
【００５５】
(2)実施の形態１のノート用紙Ａは、
用紙本体１０の切り取り線４０の、用紙内側に隣接して見出し領域５０を有する。
したがって、上記(1)のように第２綴じ穴列３０を用いてノート用紙Ａを綴じ直した場合、第２綴じ穴列３０の延在方向にずらして綴じると、ノート用紙Ａを前後に重ね合わせていても、奥側に重ね合わせたノート用紙Ａの見出し領域５０の記載を確認できる。
よって、見出しシートやインデックスシールなどを用いることなく、分類や区分けが可能であり、低コストで効率の良い分類が可能である。
【００５６】
(3) 実施の形態１のノート用紙Ａは、
見出し領域５０は、分類の記載用の分類記入部５１と、日付け記載用の日付記入部５２と、見出し記載用の見出し記入部５３と、ナンバリング用のナンバリング部５４と、を備える。
したがって、見出し領域５０に、分類に必要な情報を効率良く記載することが可能であるとともに、必要な情報を効率良く確認できる。
【００５７】
(4) 実施の形態１のノート用紙Ａは、
用紙本体１０の見出し記入部５３から、さらに用紙内側に複数の罫線を有する罫線領域６０が設けられている。
したがって、ノート用紙Ａに書き込む際に、罫線を基準に記載でき、白紙の場合と比較して、記載が容易である。
【００５８】
(5) 実施の形態１のノート用紙Ａは、
罫線領域６０には、長辺１１に略平行な罫線と短辺１２に略平行な罫線とから成る格子罫線６２を有する。
したがって、ノート用紙Ａを第１綴じ穴列２０で綴じた場合も、第２綴じ穴列３０で綴じた場合も、縦書き、横書きいずれも容易に書き込むことができる。
加えて、縦、横一方のみの罫線と比較して、図形などを記載する際の目安として用いることができ、使い勝手に優れる。
【００５９】
(6) 実施の形態１のノート用紙Ａは、
用紙本体１０は、長方形を成し、
第１辺としての長辺１１と、第２辺としての短辺１２を備える。
したがって、長辺１１に沿って設けられた切り取り線４０を用いて第１綴じ穴列２０を切り取り、短辺１２に沿う第２綴じ穴列３０を用いて、バインダなどに綴じた場合に、バインダにおいてノート用紙Ａが占める上下方向寸法を抑えることができる。よって、上記(2)で記載したようにノート用紙Ａを上下方向に位置をずらして綴じる場合に、長辺１１に沿う第１綴じ穴列２０を用いて綴じる場合よりも多段階にずらして綴じることが可能となる。
【００６０】
(7) 実施の形態１のノート１００は、
ノート用紙Ａの第１綴じ穴列２０を綴じ具１１０により綴じ合わせた。
よって、ノート用紙Ａのみを持ち運び可能であり、後述の分類用バインダ２００を持ち運ぶ場合よりも、持ち運びが容易である。
しかも、実施の形態１では、ノート用紙Ａの長辺１１に沿って設けられた第１綴じ穴列２０を綴じ具１１０により綴じた。このため、ノート１００からノート用紙Ａを切り取った場合、短辺１２側の第２綴じ穴列３０を用いて綴じることができ、上記(6)に記載の効果を得ることができる。
【００６１】
(8) 実施の形態１のルーズリーフノートＬＬＮは、
ノート用紙Ａと、
ノート用紙Ａを綴じる綴じ具２１０を備えた分類用バインダ２００と、を備え、
綴じ具２１０は、第２綴じ穴列３０を綴じることが可能であり、かつ、短辺１２の長さよりも長い寸法を有するとともに、綴じリング２１１が、綴じ穴３１の数よりも多く設けられている。
したがって、分類用バインダ２００にノート用紙Ａを綴じたルーズリーフノートＬＬＮでは、上記(2)や(6)で説明したように、ノート用紙Ａを上下方向の位置をずらして多段階に綴じることができる。そして、これにより、見出しシートやインデックスシールを用いることなく、効率的に分類することができる。
【００６２】
(9) 実施の形態１のノート用紙の分類方法は、
ルーズリーフノートＬＬＮを用いたノート用紙Ａの分類方法であって、
ノート用紙Ａの切り取り線４０で用紙本体１０から第１綴じ穴列２０を切り離すステップと、
分類用バインダ２００の綴じ具２１０に、第１綴じ穴列２０を切り離した状態のノート用紙Ａを、第２綴じ穴列３０で綴じるステップであって、相対的に後のタイミングで綴じるノート用紙Ａ（２）は、相対的に前のタイミングで綴じたノート用紙Ａ（１）の見出し領域５０が見える位置に綴じるステップと、
を備える。
したがって、上記(2)や(6)で説明したように、ノート用紙Ａを上下方向の位置をずらして多段階に綴じることができる。そして、これにより、見出しシートやインデックスシールを用いることなく、効率的に分類することができる。
なお、上述の説明では、分類用バインダ２００にノート用紙Ａを綴じる場合、綴じリング２１１の１つ分あるいは２つ分だけずらす例を示したが、３つ分以上ずらしてもよい。
【００６３】
（他の実施の形態）
以下に、他の実施の形態のノート用紙について説明する。なお、他の実施の形態のノート用紙について説明するのにあたり、共通する構成要素には共通する符号を付けて説明を省略する。
【００６４】
（実施の形態２）
図６は実施の形態２のノート用紙Ｂを示す平面図である。
この実施の形態２のノート用紙Ｂは、実施の形態１のノート用紙Ａの変形例であり、罫線領域６６０、見出し領域６５０、区分領域６７０が実施の形態１のノート用紙Ａと異なる。
【００６５】
まず、このノート用紙Ｂの罫線領域６６０について説明する。
罫線領域６６０では、実施の形態１で示した空白部６３を廃止し、外枠６６１の内側全体に格子罫線６６２を設けている。
また、見出し領域６５０では、分類記入部５１およびナンバリング部５４の外枠５１ａ、５４ａを廃止している。
【００６６】
さらに、実施の形態２のノート用紙Ｂは、罫線領域６６０の外枠６６１と図６における上端縁との間の余白部分に、区分領域６７０が設けられている。
この区分領域６７０は、罫線領域６６０に記載した内容について、さらに細かに区分する場合に、記載する領域であり、３つの記載領域６７１，６７２，６７３に色分けされている。よって、これらの記載領域６７１，６７２，６７３に、その内容や重要度などの色付けに応じて記載することができる。
【００６７】
以上説明した実施の形態２のノート用紙Ｂは、上記の相違点以外は、実施の形態１と同様である。
したがって、実施の形態２のノート用紙Ｂにあっても、上記(1)〜(5)に記載した効果を得ることができる。
加えて、区分領域６７０を用いて、さらに、細かな区分が可能である。
【００６８】
（実施の形態３）
図７は実施の形態３のノート用紙Ｃを示す。
この実施の形態３のノート用紙Ｃは、写真などの分類に用いるものであり、用紙本体７１０と、用紙本体７１０を覆う透明シート７７０とを備える。
【００６９】
用紙本体７１０は、例えば、紙を用いて形成され、実施の形態１と同様に、第１綴じ穴列２０、第２綴じ穴列３０、切り取り線４０、見出し領域７５０を備える。
【００７０】
見出し領域７５０には、図示のように、複数の縦線７５１が設けられ、日時やこのノート用紙Ｃに綴じる不図示の写真のタイトルや写真に関する情報を記載することができる。
【００７１】
透明シート７７０は、用紙本体７１０において見出し領域７５０を除く部分を覆って設けられている。そして、透明シート７７０は、見出し領域７５０に沿う部分以外の３辺７７１，７７２，７７３の位置で、用紙本体７１０に接着されて、残りの辺７７４の位置で用紙本体７１０との間に開口を有する袋を形成している。
【００７２】
したがって、実施の形態３のノート用紙Ｃでは、透明シート７７０の辺７７４の位置の開口から、写真などを出し入れすることができる。
また、この実施の形態３のノート用紙Ｃにあっても、実施の形態１のノート用紙Ａと同様に、切り取り線４０で切り取って、第２綴じ穴列３０により綴じることができる。これにより、(1)(2)(6)で述べたように、見栄えに優れ、かつ、見出しシートやインデックスシールなどを用いることなく、分類や区分けが可能であり、低コストで効率の良い分類が可能であり、も多段階にずらして分類が可能である。
【００７３】
また、ノート用紙Ｃは、上記(7)で説明したように、第１綴じ穴列２０で綴じたノートとして切り離して使用することができる。また、ノート用紙Ｃは、上記(8)で説明したように、分類用バインダ２００と組み合わせたルーズリーフノートＬＬＮとすることができ、上記(9)のような分類方法による分類が可能である。
【００７４】
以上、本開示のノート用紙、ノート、ルーズリーフノート、分類方法を実施の形態に基づき説明してきたが、具体的な構成は、この実施の形態に限られず、特許請求の範囲の各請求項に係る発明の要旨を逸脱しない限り、設計の変更や追加などは許容される。
【００７５】
例えば、実施の形態では、ノート用紙Ａの用紙本体１０として長方形のものを示したが、これに限定されず、正方形の用紙本体を用いてもよい。
また、実施の形態では、ノート用紙Ａ，Ｂ，Ｃとして、見出し領域５０，６５０，７５０を備えるものを示したが、これに限定されず、第１綴じ穴列２０に隣接して切り取り線４０を有するものであれば、見出し領域５０，６５０，７５０を備えなくてもよい。
【００７６】
また、実施の形態では、第１綴じ穴列２０、第２綴じ穴列３０として、第１辺（長辺１１）、第２辺（短辺１２）の全長に亘って連続して各綴じ穴２０，３０を形成した例を示したが、これに限定されず、第１辺、第２辺の全長の一部に綴じ穴を形成したものを用いてもよい。さらに、実施の形態では、用紙本体１０の２辺に第１、第２綴じ穴列２０，３０を設けたものを示したが、少なくとも、この一対の綴じ穴列２０，３０を備えていれば、他の二辺の一方あるいは両方にも綴じ穴列を設けるようにしてもよい。
【００７７】
さらに、実施の形態では、切り取り線４０はミシン目により形成したものを示したが、これに限定されない。例えば、切り取り線として、切り取りの目安となる線を記載したものを用いてもよい。この場合、カッタ、はさみなどを用いて切り取り線の位置で切り取るようにしてもよい。また、ノート用紙Ａは、ルーズリーフ形式のバインダにより綴じたものの場合、ノート用紙Ａを一旦バインダから取り外した上で、切り取り線に定規などを当てて切り取るようにしてもよい。
【００７８】
また、実施の形態では、見出し領域５０が、分類記入部５１と、日付記入部５２と、見出し記入部５３と、ナンバリング部５４との全てを備えたものを示したが、これに限定されず、見出し領域５０が、分類記入部５１と、日付記入部５２と、見出し記入部５３と、ナンバリング部５４の少なくとも１つを備えていればよい。
【００７９】
また、実施の形態では、罫線領域６０に格子罫線６２を有するものを示したが、罫線としては格子罫線６２に限定されない。例えば、罫線として、縦方向の罫線、横方向の罫線のいずれか一方や、それ以外の音符を書き込む五線譜や英語罫線などの他の罫線を用いてもよい。また、罫線領域に外枠を設けた例を示したが、外枠は記載せずに、罫線だけ設けてもよいし、罫線領域を設けることなく、この部分を無地の空白部としてもよい。
【００８０】
また、実施の形態では、ノート用紙を綴じたノート１００として、開閉できない綴じ具１１０により綴じた例を示したが、これに限定されず、綴じ具１１０を開閉できる綴じ具としたいわゆるルーズリーフ形式のノートとしてもよい。この場合、ノート用紙は、使用者が任意の枚数を綴じて使用することができ、いっそう持ち運びが容易となる。
【００８１】
また、実施の形態３のノート用紙Ｃでは、透明シート７７０が袋状に３辺が接着されたものを示したが、これに限定されず、透明シートが用紙本体に密着性を有し、透明シートの一辺のみを用紙本体に結合した構成としてもよい。この場合、結合箇所以外の部分から、用紙本体からめくり、写真を用紙本体に当接させた上で、透明シートを上から覆って、写真および用紙本体に密着させる。
【符号の説明】
【００８２】
１０   用紙本体
１１   長辺（第１辺）
１２   短辺（第２辺）
２０   第１綴じ穴列
２１   綴じ穴
３０   第２綴じ穴列
３１   綴じ穴
４０   切り取り線
５０   見出し領域
５１   分類記入部
５２   日付記入部
５３   見出し記入部
５４   ナンバリング部
６０   罫線領域
６２   格子罫線
１００ ノート
１１０ 綴じ具
１１１ 綴じリング
２００ 分類用バインダ
２１０ 綴じ具
２１１ 綴じリング
６５０ 見出し領域
６６０ 罫線領域
７１０ 用紙本体
７５０ 見出し領域
Ａ     （実施の形態１の）ノート用紙
Ｂ     （実施の形態２の）ノート用紙
Ｃ     （実施の形態３の）ノート用紙
ＬＬＮ ルーズリーフノート
【図１】
2019209615.tif 000003
【図２】
2019209615.tif 000004
【図３Ａ】
2019209615.tif 000005
【図３Ｂ】
2019209615.tif 000006
【図３Ｃ】
2019209615.tif 000007
【図４】
2019209615.tif 000008
【図５】
2019209615.tif 000009
【図６】
2019209615.tif 000010
【図７】
2019209615.tif 000011